(57)【要約】【課題】スクエア画面Ｓでの描画を前提として作成された複数のアイテムからなる表示画面のイメージを損なうことなく、また各アイテムを見易い状態のままワイド画面Ｗに表示することのできる画像変換装置を提供する。【解決手段】基準座標と所定のパラメータとに基づいて所定サイズの画面（スクエア画面Ｓ）に表示されるアイテムを、画面サイズの異なる画面用（ワイド画面Ｗ）に変換する画像変換装置であって、種別が異なった複数のアイテムの全てに対して、前記基準座標を前記画面サイズの違いに応じた同じ変換手順で変換する基準座標変換手段と、前記種別が異なった複数のアイテムの種別毎に、前記パラメータを前記画面サイズの違いに応じて変換するパラメータ変換手段とを備える。【選択図】      図１
2014056157.tif 000002
【特許請求の範囲】
【請求項１】
基準座標と所定のパラメータとに基づいて所定サイズの画面に表示されるアイテムを、画面サイズの異なる画面用に変換する画像変換装置であって、
前記アイテムは、種別の異なった複数のアイテムからなり、
これら種別が異なった複数のアイテムの全てに対して、前記基準座標を前記画面サイズの違いに応じた同一の変換手順で変換する基準座標変換手段と、
前記種別が異なった複数のアイテムの種別毎に、前記パラメータを前記画面サイズの違いに応じて変換するパラメータ変換手段と
を備えたことを特徴とする画像変換装置。
【請求項２】
前記パラメータ変換手段は、前記基準座標変換手段の変換手順とは異なる手順で前記パラメータを変換可能であることを特徴とする請求項１に記載の画像変換装置。
【請求項３】
前記アイテムの属性情報に従って当該アイテムの表示形式を変換するか否かを判定する判定手段を更に備え、
前記パラメータは、アイテムの縦横比を特定する情報であり、前記パラメータ変換手段は、前記判定手段によって表示形式を変換すると判定されたアイテムの縦横比を前記第２の画面サイズの縦横比に基づいて決定し、前記判定手段によって表示形式を変換しないと判定されたアイテムの縦横比を前記第１の画面サイズの縦横比に基づいて決定することを特徴とする請求項１又は２に記載の画像変換装置。
【請求項４】
前記アイテムの属性情報に従って当該アイテムの表示形式を変換するか否かを判定する判定手段を更に備え、
前記パラメータは、アイテムの終端座標であって、
前記基準座標変換手段は、全てのアイテムの前記第１の画面上での基準座標を、前記第１の画面と前記第２の画面との間で予め対応付けて定めた複数の基準点をベースとして、前記第１の画面および前記第２の画面において対応する最寄りの基準点からのオフセット量が等しい位置として前記第２の画面における基準座標にそれぞれ変換し、
前記パラメータ変換手段は、前記判定手段によって表示形式を変換しないと判定されたアイテムの前記第１の画面上での前記終端座標を、前記第１の画面と前記第２の画面との間で予め対応付けて定めた複数の基準点をベースとして、前記第１の画面および前記第２の画面において対応する最寄りの基準点からのオフセット量が等しい位置として前記第２の画面における終端座標に変換する一方、前記判定手段によって表示形式を変換すると判定されたアイテムの前記第１の画面上での終点座標を、前記第１の画面と前記第２の画面とのサイズの違いに応じて前第２の画面における座標に変換する
ことを特徴とする請求項１又は２に記載の画像変換装置。
【請求項５】
前記表示形式を変換しないアイテムは、１つの纏まりとしてグループ化した複数のアイテムを含み、
前記基準座標変換手段は、前記グループを単位として当該グループに含まれる１つのアイテムの表示位置を特定する基準座標を前記第２の画面における基準座標に変換し、変換した基準座標を基準として当該アイテムのパラメータ、および当該グループに含まれる他のアイテムのパラメータを、前記第１の画面における前記１つのアイテムの基準座標との相対座標位置関係を維持して前記第２の画面におけるパラメータとしてそれぞれ変換するものである請求項４に記載の画像変換装置。
【請求項６】
第１の画面に表示するプラント表示画面の情報を格納したプラント画像ファイルと、
このプラント画像ファイルに格納された前記プラント表示画面の情報を、前記第１の画面のサイズとは異なる第２の画面に表示するプラント表示画面の情報に変換する請求項１〜５のいずれかに記載の画像変換装置と、
この画像変換装置にて変換されたプラント表示画面の情報に従って前記第２の画面にプラント表示画面を描画する描画装置と
を備えたことを特徴とするプラント監視装置。
【請求項７】
請求項６に記載のプラント監視装置において、
更に前記画像変換装置にて求められた第２の画面に対するプラント表示画面の情報にて、前記プラント画面ファイルに格納された前記プラント表示画面の情報を書き換える手段を備えることを特徴とするプラント監視装置。
【発明の詳細な説明】
【技術分野】
【０００１】
本発明は、第１の画面（オリジナル画面）用に作成された複数のアイテムからなる表示画面を、前記第１の画面とはサイズの異なる第２の画面に表示する為の画像変換装置、および画像変換装置を備えたプラント監視装置に関する。
【背景技術】
【０００２】
鉄鋼等の産業分野や、上下水道等の公共分野におけるプラントの運転状況を監視するプラント監視装置は、監視対象とするプラントを模式的に表わすプラント表示画面を、予め定めた第１の画面に表示するように構成される。尚、プラント表示画面は、複数種のアイテムによって構成され、これらのアイテムは、プラントを構成する各種設備をシンボル化して表わす四角や円等の図形や、シンボル化した設備間を結ぶ線分、更にはプラント監視データ等からなる。特に前記プラント表示画面は、上記プラント監視データをリアルタイムに表示するように構成される。（例えば特許文献１を参照）。
【０００３】
このプラント監視装置１０は、例えば図９に概略構成を示すように、プラント監視画面作成装置（作成ツール）２０にて作成されたプラント表示画面の情報（複数のアイテムとその属性情報）をロードし、複数のアイテムを、その表示位置と大きさを示す座標と属性に従って表示器（ディスプレイ）３０の画面上に描画することにより、該表示器３０に前記プラント表示画面を表示するように構成される。
【０００４】
尚、前記プラント監視画面作成装置２０は、キーボードやマウス、タブレット等の入力装置（図示せず）から与えられる情報を入力して、プラント表示画面を構成する各種アイテムの種別（例えば図形定義情報）および表示画面上における表示位置とその大きさを特定する座標データを得る座標・図形定義入力装置２１と、この座標・図形定義入力装置２１にて求められた上記各アイテムの情報（図形の定義情報と座標データ、並びにプラント監視データの表示形式等）に従って表示画面に対する描画データを作成する画像コマンド変換装置２２を備える。これらの描画データは、例えば固定画像コマンド列Ａ、可変画像コマンド列Ｂ、データ表示コマンド列Ｃにそれぞれ変換され、その種別毎に分類されてプラント画面ファイル２３に格納される。
【０００５】
具体的には前記座標・図形定義入力装置２１を介して入力されるアイテムの情報は、例えば図１０に示すように、固定画像を形成する為の線分や長方形、塗り潰し、楕円等からなる図形の種別を示す項目情報（定義情報）と、当該アイテムの表示位置とその大きさを特定する座標データ等からなる。そして前記画像コマンド変換装置２２は、上記項目情報と座標データとに従って、その描画情報を前記表示器（ディスプレイ）３０上に描画する為の、定義情報と座標データとからなる命令コマンドに変換する。
【０００６】
このような命令コマンドへの変換は、固定画像のみならず可変画像、およびプラント監視データの表示に対しても同様に実行され、種別毎に分類されて前記プラント画面ファイル２３に格納される。この結果、前記プラント画面ファイル２３に前述した固定画像および可変画像の各描画データを示すコマンド列Ａ,Ｂ、並びにプラント監視データに関するデータ表示内容とその表示形態を示すコマンド列Ｃがそれぞれ求められる。
【０００７】
前記プラント監視装置１０は、そのプラント画面ファイル１１に、上述したプラント監視画面作成装置２０のプラント画面ファイル２３から前記各コマンド列Ａ,Ｂ,Ｃをそれぞれロードする。そして前記プラント監視装置１０は、前記プラント画面ファイル１１に格納した前記各コマンド列Ａ,Ｂ,Ｃに従い、固定画像描画装置１２、可変画像描画装置１３、およびデータ表示装置１４を用いて、前記表示器３０の画面上に前記固定画像、可変画像、およびプラント監視データからなる複数のアイテムをそれぞれ描画し、これによってプラント表示画面を表示する（例えば特許文献１を参照）。
【先行技術文献】
【特許文献】
【０００８】
【特許文献１】特開２００８−９６９３５号公報
【発明の概要】
【発明が解決しようとする課題】
【０００９】
ところで前記プラント監視装置１０は、従来一般的には、横縦比が［４：３］のスクエア画面（第１の画面）Ｓを有する表示器３０を備えている。そして前記プラント監視画面作成装置２０における作図ソフトウェア等は、専ら、前記表示器３０を用いたスクエア画面用のプラント表示画面を作成することを前提として構築されている。これに対して近年では、前記第１画面とはサイズが異なる、横縦比が［１６：９］のワイド画面（第２の画面）Ｗを備えた表示器３０を用いることが多くなってきている。
【００１０】
しかし上記ワイド画面Ｗに応じて前記プラント監視画面作成装置２０における作図ソフトウェア等の構成を変更することは大掛かりであり、多大な設備コストが掛かる。しかもワイド画面Ｗに合わせてプラント表示画面自体を作り替える必要があるので、多大な労力を必要とする上、今まで使用してきたソフトウェア資源（プラント表示画面を構築するコマンド列）が無駄になると言う問題がある。
【００１１】
この点、前述した特許文献１には、前記表示器３０の解像度や画面サイズが変更された場合、変更された表示器３０の解像度比率に応じて該表示器３０に表示する各種アイテム（図形）の表示位置とその大きさを変更する技術が開示される。しかし前記スクエア画面Ｓでの表示を前提として作成されたプラント表示画面の各種アイテムの表示位置とその大きさを、上記解像度比率に応じてそれぞれ変更してワイド画面Ｗに表示すると、例えば図１１に模式的に示すようにワイド画面Ｗに表示された図形要素が不自然に変形する。するとプラント表示画面における各種アイテムにより模式的に示されるプラント構成機器のイメージが損なわれたり、またプラント監視データが読み難くなり、その把握が困難になる等の不具合を招来する恐れがある。
【００１２】
本発明はこのような事情を考慮してなされたもので、その目的は、第１の画面（例えばスクエア画面）用に作成されたプラント表示画面における各種のアイテムにより模式的に示されるプラント構成機器のイメージを損なうことなく前記第１の画面とはサイズの異なる第２の画面（例えばワイド画面）に表示することができ、また前記プラント監視データを第１の画面（スクエア画面）に表示する場合と同様に見易い状態のまま第２の画面（ワイド画面）に表示することのできる画像変換装置、並びにこの画像変換装置を備えて構成されるプラント監視装置およびプラント監視画面作成装置を提供することにある。
【課題を解決するための手段】
【００１３】
上述した目的を達成するべく本発明に係る画像変換装置は、基準座標と所定のパラメータとに基づいて所定サイズの画面に表示されるアイテムを、画面サイズの異なる画面用に変換する画像変換装置であって、
前記アイテムは、種別の異なった複数のアイテムからなり、
これら種別が異なった複数のアイテムの全てに対して、前記基準座標を前記画面サイズの違いに応じた同一の変換手順で変換する基準座標変換手段と、
前記種別が異なった複数のアイテムの種別毎に、前記パラメータを前記画面サイズの違いに応じて変換するパラメータ変換手段と、を備えたことを特徴とする。
【００１４】
特に、前記パラメータ変換手段は、前記基準座標変換手段の変換手順とは異なる手順で前記パラメータを変換可能にするのが好ましい。
【００１５】
ここで、アイテムとは、円、楕円、扇形、多角形任意形状の塗りつぶし図形のほか、文字図形や線（線形図形）も含む趣旨である。
【００１６】
本発明では、複数のアイテムを、その属性情報である基準座標とパラメータとに従って表示器（ディスプレイ）３０の画面上に描画する。このとき、パラメータの変換の仕方をアイテムの種別によって変える。
【００１７】
尚、前記基準座標はアイテムの表示位置を特定する情報であり、前記パラメータは当該アイテムの大きさ等を特定する情報である。例えば、前記パラメータは、図形の縦横比を特定する座標情報、あるいは図形の終端座標からなる。
【００１８】
また本発明に係るプラント監視装置は、上記構成の画像変換装置と、画面サイズの異なる複数の描画装置とを備えてプラントの監視を行うものであって、
前記画像変換装置は、プラント監視用の画面表示制御手段として、基準画面における前記基準座標とパラメータとに基づいて該基準座標をベースとして図形を描画する図形描画手順、および前記基準画面と描画装置の画面サイズの違いに応じて前記基準座標を変換する基準座標変換手順を備え、
前記基準座標変換手段は、基準画面と各描画装置の画面サイズの違いに応じて、座標変換対象の全てのアイテムの前記基準画面における前記基準座標を、前記基準座標変換手順に基づいて前記各描画装置における基準座標にそれぞれ変換し、
前記パラメータ変換手段は、アイテムの種別毎に前記基準画面と描画装置の画面サイズの違いに応じて、座標変換対象のアイテムの前記基準画面における前記パラメータを前記各描画装置の画面のパラメータにそれぞれ変換し、
前記基準座標変換手段によって変換された各描画装置用の基準座標と、前記パラメータ変換手段によって求められた各描画装置用のパラメータとを用いて、前記図形描画手順に基づいて前記各描画装置の画面上に図形を描画して表示することを特徴としている。
【００１９】
具体的には前記画像変換装置は、例えば横縦比が［４：３］のスクエア画面からなる第１の画面用に作成された表示画面を、例えば横縦比が［１６：９］のワイド画面からなる第２の画面に表示する為のものであって、
前記表示画面に含まれるアイテムの属性情報に従って当該アイテムの表示形式を変換するか否かを判定する判定手段と、
この判定手段により表示形式を変換しないと判定したアイテムの前記第１の画面上での表示位置を特定する基準座標を、変換対象の全てのアイテムについて前記第１の画面と前記第２の画面との間で予め対応付けた座標位置関係に基づいて前記第２の画面における基準座標に変換する基準座標変換手段、および当該アイテムの前記第1の画面におけるパラメータを、前記第２の画面における前記基準座標をベースとして該第２の画面におけるパラメータにそれぞれ変換するパラメータ変換手段を含む第１の変換処理手段と、
前記表示形式を変換しないと判されたアイテムに連なるアイテムであって、前記判定手段によって表示形式を変換すると判定されたアイテムの前記第１の画面上での始点および終点を含む特定座標を前記座標位置関係に基づいて前記第２の画面における特定座標に変換する特定変換手段、および当該アイテムのパラメータを前記第１の画面と前記第２の画面とのサイズの違いに応じて前第２の画面におけるパラメータに変換するパラメータ変換手段を含む第２の変換処理手段とを具備したことを特徴としている。
【００２０】
具体的には前記座標位置関係は、例えば前記第１および第２の画面をそれぞれ構成する横方向ドット数の構成比率および縦方向ドット数の構成比率に応じて定められる。また前記表示形式を変換しないアイテムは、例えば前記表示画面に含まれるシンボル図形や、プラント監視データの表示からなり、前記前記表示形式を変換するアイテムは、例えば表示位置を異にする複数のシンボル図形間を結ぶ線分からなる。
【００２１】
また前記表示形式を変換しないアイテムは、１つの纏まりとしてグループ化した複数のアイテムを含み、前記第１の変換処理手段は、前記グループを単位として当該グループに含まれる１つのアイテムの表示位置を特定する基準座標を前記第２の画面における基準座標に変換し、変換した基準座標を基準として当該アイテムのパラメータ、および当該グループに含まれる他のアイテムのパラメータを、前記第１の画面における前記基準座標との相対座標位置関係を維持して前記第２の画面におけるパラメータとしてそれぞれ変換するように構成される。
【００２２】
好ましくは前記第１の変換処理手段は、１つの纏まりとしてグループ化した複数のアイテムの前記１つのアイテムの表示位置を特定する基準座標を除く他のアイテムの基準位置と各アイテムのパラメータとにより示される複数の座標に、当該グループの前記第１の画面における前記基準座標と前記第２の画面における前記基準座標との差をそれぞれ加算して、前記第２の画面における前記各アイテムの表示位置とパラメータとにより示される複数の座標をそれぞれ求めるように構成される。
【００２３】
また本発明に係る別の画像変換装置は、
前記表示画面に含まれるアイテムの属性情報に従って前記アイテムの表示形式を変換するか否かを判定する判定手段と、
この判定手段によって表示形式を変換しないと判定されたアイテムの前記第１の画面上での表示位置とパラメータを、前記第１の画面と前記第２の画面との間で予め対応付けて定めた複数の基準点をベースとして、前記第１の画面および前記第２の画面において対応する最寄りの基準点からのオフセット量が等しい位置として前記第２の画面における座標にそれぞれ変換する第３の変換処理手段と、
前記表示形式を変換しないと判定された前記アイテムに繋がるアイテムであって、前記判定手段によって表示形式を変換すると判定されたアイテムの前記第１の画面上での始点および終点を含む特定座標を前記第１の画面および前記第２の画面において対応する最寄りの基準点からのオフセット量が等しい特定座標に変換する特定座標変換手段、および当該アイテムのパラメータにより特定される座標を前記第１の画面と前記第２の画面とのサイズの違いに応じて前第２の画面における座標に変換するパラメータ変換手段を含む第４の変換処理手段とを具備したことを特徴としている。
【００２４】
好ましくは前記複数の基準点は、前記第１の画面および前記第２のワイド画面をそれぞれｎ等分した複数の領域の各基点として定められるものであって、
前記第３および第４の変換処理手段は、前記基準座標および前記特定座標がそれぞれ含まれる前記第１の画面における分割領域を特定すると共に、特定した分割領域に対応する前記第２の画面における分割領域をそれぞれ特定し、前記第１および第２の画面においてそれぞれ特定した分割領域の基点からのオフセット量が互いに等しくなる座標を前記第２の画面における基準座標および特定座標としてそれぞれ決定するように構成される。
【００２５】
また本発明に係るプラント監視装置は、
第１の画面に表示する表示画面の情報を格納したプラント画像ファイルと、
このプラント画像ファイルに格納された前記プラント表示画面の情報を、前記第１の画面のサイズとは異なる第２の画面に表示するプラント表示画面の情報に変換する前述したいずれかの構成の画像変換装置と、
この画像変換装置にて変換されたプラント表示画面の情報に従って前記第２の画面にプラント表示画面を描画する描画装置と
を備えたことを特徴としている。
【００２６】
尚、前記プラント監視装置およびプラント監視画面作成装置は、それぞれ前記画像変換装置にて求められた第２の画面に表示するプラント表示画面の情報にて、前記プラント画面ファイルに格納された前記第１の画面に表示するプラント表示画面の情報を書き換える手段を更に備えることが好ましい。
【発明の効果】
【００２７】
上記構成の画像変換装置によれば、第1の画面（スクエア画面）用に作成された表示画面における、例えばシンボル図形やプラント監視データ等のアイテムについては、その表示位置が変更されるだけでそのまま画面サイズの異なる第２の画面（ワイド画面）に表示される。そして、例えば複数のシンボル図形間を結ぶ線分等のアイテムについては、前記シンボル図形との連なり関係を維持した状態でその表示形式が変換されて前記第２の画面（ワイド画面）に表示される。
【００２８】
従って、例えばスクエア画面（第１の画面）Ｓでの表示用に作成された表示画面のイメージを損なうことなく、また前記プラント監視データをオリジナルの見易い状態のまま、画面サイズの異なるワイド画面（第２の画面）Ｗに表示することができる。故に第１の画面用に作成された既存のソフトウェア資源（プラント表示画面の情報）を有効に活用して、前記第１の画面とはサイズの異なる第２画面に合わせて、そのイメージを損なうことなく効果的に表示することが可能となる。
【００２９】
しかも種別の異なる複数のアイテムの全てに対して、その基準座標を画面サイズの違いに応じた同じ変換手順で変換し、またアイテムの種別に応じて、その種別毎に当該アイテムのパラメータを前記画面サイズの違いに応じたパラメータに変換するだけなので変換処理自体が簡単であり、さほど大きな処理負担を強いることなしに画像変換処理を行うことができる。従って既存の画像表示装置に容易に組み込むことができ、今まで使用してきた既存のソフトウェア資源（表示画面を構築するコマンド列等）を有効に活用することが可能となる。
【００３０】
またこのような画像変換装置を備えて構成されるプラント監視装置においても同様な効果が奏せられる。
【図面の簡単な説明】
【００３１】
【図１】本発明に係る画像変換装置の概略的な処理機能を示す図。
【図２】本発明の実施形態に係るプラント監視装置の概略構成図。
【図３】本発明の実施形態に係るプラント監視画面作成装置の概略構成図。
【図４】本発明の実施形態に係る画像変換装置の概略構成を示す概略的な処理手順を示す図。
【図５】スクエア画面Ｓとワイド画面Ｗとの間の座標位置関係を示す図。
【図６】画像変換装置における座標変換処理の概略的な処理手順を示す図。
【図７】画像変換装置における座標変換処理の処理手順の別の実施形態を示す図。
【図８】図７に示す座標変換処理の概念を模式的に示す図。
【図９】プラント監視装置およびプラント監視画面作成装置の概略構成図。
【図１０】図形定義情報の例を示す図。
【図１１】ワイド化した図形の表示例を示す図。
【発明を実施するための形態】
【００３２】
以下、図面を参照して本発明の実施形態に係る画像変換装置と、この画像変換装置を備えて構成されるプラント監視装置およびプラント監視画面作成装置について説明する。
【００３３】
本発明に係る画像変換装置は、例えば横縦比が［４：３］のスクエア画面（第１の画面）Ｓに表示することを前提に作成された第１画面用のプラント表示画面を、横縦比が［１６：９］のワイド画面（第２の画面）Ｗに表示する役割を担う。
【００３４】
図1は本発明に係る画像変換装置の概略的な処理機能（処理概念）を示している。図１に示すようにこの画像変換装置は、所定サイズの画面（例えばスクエア画面）に表示される第1の表示画面１を構成する複数のアイテム２ａ,２ｂ〜２ｎの各属性情報である基準座標およびパラメータを、基準座標変換手段３およびパラメータ変換手段４を用いてそれぞれ変換処理し、サイズの異なる画面（例えばワイド画面）に表示する為の第２の表示画面６を求める役割を担う。
【００３５】
特に前記基準座標変換手段３は、種別の異なった複数のアイテム２ａ,２ｂ〜２ｎの全てを、その基準座標を画面サイズの違い（画面サイズ比７）に応じて定まる所定の変換手順でそれぞれ変換する機能を備える。これに対して前記パラメータ変換手段４は、前記アイテム２ａ,２ｂ〜２ｎの各パラメータを、複数のアイテムの種別毎に定められた変換手順に従い、前記画面サイズの違いに応じてそれぞれ個別に変換する機能を備える。そして前記基準座標変換手段３および前記パラメータ変換手段４をそれぞれ介して変換された基準座標およびパラメータからなる、前記各アイテム２ａ,２ｂ〜２ｎにそれぞれ対応する複数のアイテム５ａ,５ｂ〜５ｎを、画面サイズの異なる第２の表示画面６として求めることを特徴としている。
【００３６】
特に前記パラメータ変換手段４においては、画面サイズが異なってもその表示形式を変更しないことが適切なアイテムについては、そのアイテムの種別に従って当該アイテムのパラメータを、例えばその基準座標に対する相対位置関係を維持した状態で変換する。また画面サイズの異なりに応じて表示形式を変更しても不具合のないアイテムについては、そのアイテムの種別に従って当該アイテムのパラメータを、例えば画面サイズ比に応じて変換することを特徴としている。具体的には、アイテムの第１画面上の縦横比を維持しつつ、Ｘ軸あるいはＹ軸のいずれか一方について第２画面とのサイズ比に従ってアイテムのサイズを変換する。
【００３７】
ここで基本的には上述した如くして画像変換処理を実行する画像変換装置４０について説明する。本発明に係る画像変換装置４０は、例えば前記プラント表示画面を構成する複数のアイテムの表示位置および大きさを特定する座標データを、前記ワイド画面Ｗにおける座標データに変換する役割を担う。この画像変換装置４０は、例えば図２および図３にそれぞれ示すようにプラント監視装置１０に、或いはプラント監視画面作成装置２０に組み込まれる。尚、ここでは前述したスクエア画面Ｓ用のプラント表示画面を、前記ワイド画面Ｗに表示する場合を例に説明するが、必ずしもこの例に限定されることがないことは言うまでもない。
【００３８】
ここで前記プラント表示画面を構成する複数のアイテムとは、プラントを構成する各種設備をシンボル化して表わす四角や円、楕円等の図形や、シンボル化した設備間を結ぶ線分、更にはプラント監視データ等からなる。これらの複数種のアイテムは、先に図１０を参照して説明したように、プラントを構成する各種設備をシンボル化した固定画像を形成する為の線分や長方形、塗り潰し、楕円等からなる図形の種別を示す項目情報（定義情報）と、当該アイテムの表示位置を特定する基準座標、およびその表示形態を特定するパラメータからなる。このパラメータは、アイテムの大きさや縦横比等を特定する座標データを含む。
【００３９】
具体的には図１０を参照すれば、アイテム［Ｎo.１］は、その項目（図形種別）が[線]であり、その表示形態は表示画面上における座標(ｘ1,ｙ1),(ｘ2,ｙ2),(ｘ3,ｙ3),(ｘn,ｙn)を順に結ぶ線分であるとして、当該アイテムの基準座標（始点座標；ｘ1,ｙ1）とそのパラメータ(ｘ2,ｙ2),(ｘ3,ｙ3),(ｘn,ｙn)が属性情報として定義される。またアイテム［Ｎo.４］は、その項目（図形種別）が[楕円]であり、その表示形態は表示画面上における座標(ｘo,ｙo)を中心とし、座標(ｘ1,ｙ1),(ｘ2,ｙ2)により長軸方向および短軸の大きさが特定される楕円図形であるとして、当該アイテムの基準座標(ｘo,ｙo)とパラメータ(ｘ1,ｙ1),(ｘ2,ｙ2)が属性情報として定義される。
【００４０】
またアイテムがプラント監視データを示す場合には、その属性情報は、例えば表示画面上における当該プラント監視データの表示位置と表示領域の大きさを特定する座標データ（基準座標とパラメータ）に加えて、当該表示領域に表示するプラント監視データの種別（内容）とその表示形式を特定する情報等として当該アイテムの属性情報として与えられる。また後述するように複数のアイテムが、互いに関連付けられた１纏まりのグループを構成するような場合には、その纏まりを示すグループ情報が当該アイテムの属性情報として付加される。
【００４１】
尚、前記プラント監視装置１０および前記プラント監視画面作成装置２０は、基本的には図９に示した従来システムと同様に構成される。従って同じ構成要素には同一符号を付して、その説明については省略する。また前記プラント監視装置１０および前記プラント監視画面作成装置２０の一方が前記画像変換装置４０を備えれば、敢えて他方に前記画像変換装置４０を設ける必要がないことは言うまでもない。
【００４２】
さて前記プラント監視装置１０および前記プラント監視画面作成装置２０の一方に組み込まれる前記画像変換装置４０は、基本的には、例えばスクエア画面Ｓに表示することを前提に作成されたプラント表示画面を構成する複数のアイテム（図形の情報およびプラント監視データ）を描画する為の情報、即ち、前述したコマンド列Ａ,Ｂ,Ｃを前記プラント画面ファイル１１（２３）から読み出し、これらのコマンド列Ａ,Ｂ,Ｃを、前記ワイド画面Ｗに描画する為のコマンド列ａ,ｂ,ｃに変換して前記プラント画面ファイル１１（２３）の格納情報を書き直す役割を担う。
【００４３】
特に前記画像変換装置４０は、下記の［１］判定手段,［２］第１の変換処理手段,［３］第２の変換処理手段からなる処理機能を備えて構成される。
[１]  判定手段
【００４４】
この判定手段は、プラント表示画面を構成する複数のアイテムの属性情報に従って当該アイテムの表示形式を変換するか否かを判定する。具体的には前述した線分や楕円等を構成する図形要素（アイテム）を、例えばプラントの構成要素をシンボル化して示す楕円や長方形等に代表されるワイド化しない（表示形式を変換しない）図形要素と、複数のシンボル間を結ぶ線分からなるワイド化する（表示形式を変換する）図形要素とに分類する。尚、ワイド化しない図形要素（アイテム）には、前述したプラント監視データの表示形式も含まれる。
[２]  第１の変換処理手段
【００４５】
この第１の変換処理手段は、ワイド化しないアイテム、具体的には線分以外の図形要素およびプラント監視データを、前記スクエア画面Ｓと前記ワイド画面Ｗとの間で予め対応付けた座標位置関係に基づいて、前記図形要素および前記プラント監視データの表示位置を特定する基準座標を、前記ワイド画面Ｗにおける基準座標にそれぞれ変換する基準座標変換手段を備える。更に前記第１の変換処理手段は、当該図形要素の大きさを決定する前記図形要素の前記基準座標以外の座標を示すパラメータを、前記スクエア画面Ｓにおける前記基準座標との相対座標位置関係を維持して、前記変換した前記第２の画面における基準座標を基準とする座標にそれぞれ変換するパラメータ変換手段を備える。
[３]  第２の変換処理手段
【００４６】
この第２の変換処理手段は、ワイド化するアイテム、具体的には線分を、前記ワイド化しないと図形要素に連なる当該図形要素の前記第１の画面上での特定座標、即ち、前記線分の始点座標および終点座標を、前記座標位置関係に基づいて前記第２の画面における特定座標に変換する特定座標変換手段を備える。この特定座標変換手段は、前記基準座標変換手段に相当するものである。
【００４７】
また前記第２の変換処理手段は、当該線分の大きさを決定する前記特定座標以外の座標、例えば折れ点座標からなるパラメータを前記第１の画面と前記第２の画面とのサイズの違いに応じて前第２の画面における座標（終端座標）に変換するパラメータ変換手段を備える。尚、この第２の変換処理手段におけるパラメータ変換手段、および前記第1の変換処理手段におけるパラメータ変換手段は、アイテムの種別に応じて当該アイテムのパラメータを上述したようにそれぞれ変換する、アイテムの種別毎に対応付けられたパラメータ変換手段として実現される。
【００４８】
これらの各手段（処理機能）は、例えば図４にその概略的な処理手順を示すようなソフトウェア・プログラムとして実現される。具体的には前記画像変換装置４０における画像変換処理は、先ず前記プラント画面ファイル１１（２３）から前記プラント表示画面を形成する複数の図形を描画する為の前述したコマンド列Ａ,Ｂ、およびプラント監視データを表示する為の前述したコマンド列Ｃを順に読み出す＜ステップＳ１＞。
【００４９】
そしてこれらの各コマンド列Ａ,Ｂ,Ｃを構成する各コマンドにそれぞれ含まれる定義情報（図１０を参照）に従って、当該コマンドが示すアイテムの描画データがワイド化に適さない図形であるか否かを判定する＜分類手段；ステップＳ２＞。具体的には前記描画データが、ワイド化しても不自然さを招くことのない線分であるか、或いはワイド化に伴って視覚的イメージが変化する図形要素、具体的には長方形や円形等のプラントの構成要素をシンボル化して示す図形、またはプラント監視データの表示位置を示す情報であるかを判定する。そして前記描画データが線分である場合には、これをワイド化する図形要素であると判定し＜ステップＳ３＞、それ以外の場合には、これをワイド化しない図形要素であると判定する＜ステップＳ４＞。
【００５０】
そして前記ワイド化しない図形要素については前述した第1の変換処理手段を実行する＜ステップＳ５＞。そして前記スクエア画面Ｓと前記ワイド画面Ｗとの間で予め対応付けた座標位置関係に基づいて、前記図形要素の基準座標および前記プラント監視データの表示位置を特定する基準座標を、前記ワイド画面における基準座標にそれぞれ変換する（基準座標変換手段）。尚、上記基準座標とは、例えば円における中心位置座標、長方形における特定の角部の位置座標、またプラント監視データの表示位置を示す表示領域（表示枠）の特定の角部の位置座標等の、図形やプラント監視データを描画・表示する上での基準となる座標を意味する。
【００５１】
また前記図形要素および前記プラント監視データの前記基準座標以外の、当該図形要素の大きさや前記プラント監視データの表示領域を決定する座標については、前記スクエア画面Ｓにおける前記基準座標と前記各座標との相対座標位置関係に基づき、前記変換した前記第２の画面における基準座標を基準として上記相対座標位置関係を維持する座標としてそれぞれ決定する（パラメータ変換手段）。
【００５２】
一方、前記ワイド化する図形要素、即ち、線分については、前述した第２の変換処理手段を実行する＜ステップＳ６＞。そして前述したプラントの構成要素をシンボル化して示す図形に連なる特定座標を当該線分の始点座標と終点座標として特定し、これらの始点座標・終点座標を前記スクエア画面Ｓと前記ワイド画面Ｗとの間で予め対応付けた座標位置関係に基づいて前記ワイド画面Ｗにおける始点座標・終点座標にそれぞれ座標変換する（特定座標変換手段）。また前記線分の表示形式を決定する該線分の前記始点座標および終点座標以外の座標、例えば折れ点座標等については、前記スクエア画面Ｓと前記ワイド画面Ｗとのサイズの違いに応じて該ワイド画面Ｗにおける座標に変換する（パラメータ変換手段）。ところで、上記特定座標変換手段の処理は、始点座標を基準座標とすれば、基準座標変換手段によって処理でき、また、終点座標をパラメータ（終端座標）とすればパラメータ変換手段によってそれぞれ処理することができる。このとき、画像サイズの違いに応じて表示形式を変換する場合は、パラメータ変換手段は、基準座標と同じ変換手順で変換する。一方、画像サイズの違いに応じて表示形式を変換しない場合は、パラメータ変換手段は、たとえば第１の画面の基準座標からの相対距離を第２の画面の基準座標に加算することによって終端座標を求めることができる。このように、パラメータ変換手段を基準座標変換手段の変換手順とは異なる手順でパラメータを変換可能に構成することによって、図形の表示形式の違いに柔軟に対応することができる。
【００５３】
そして上述した如くして各アイテムの座標変換を終えたならば、座標変換して求められた新たな座標データを前記ワイド画面Ｗに対する描画データを示す前記各コマンドａ,ｂ,ｃとして前記プラント画面ファイル１１（２３）のデータを書き直す＜ステップＳ７＞。以上の処理を、前記プラント画面ファイル１１（２３）に格納されているコマンド列Ａ,Ｂ,Ｃの各コマンドの全てについて繰り返し実行することで＜ステップＳ８＞、スクエア画面Ｓからワイド画面Ｗへの画像変換処理が実現される。
【００５４】
ここで前述したスクエア画面Ｓとワイド画面Ｗとの間の座標位置関係について簡単に説明すると、スクエア画面Ｓとワイド画面Ｗとは単に縦横比が異なるだけではなく、横方向ドット数（画素数）および縦方向ドット数（画素数）の構成比率も異なっている。一般的には、例えばスクエア画面Ｓは（７６８×１２８０）ドットで構成され、ワイド画面Ｗは（１０００×１９２０）で構成される。
【００５５】
従ってスクエア画面Ｓの座標（ｘ,ｙ）とワイド画面Ｗの座標（Ｘ,Ｙ）との間には、基本的には図５にその概念を示すように、
Ｘ＝Ａｘ＋Ｂ  ，  Ｙ＝Ｃｙ＋Ｄ
なる関係がある。尚、Ａは横倍率係数（＝１０００／７６８≒１.３）、Ｂは横オフセット値、Ｃは縦倍率係数（＝１９２０／１２８０＝１.５）、そしてＤは縦オフセット値である。
【００５６】
故に、図５に示すようにスクエア画面Ｓでの座標（ｘ1,ｙ1）がワイド画面Ｗにおける座標（Ｘ1,Ｙ1）に対応するとき、前記座標（ｘ1,ｙ1）から（ｗ,ｈ）だけ変位（オフセット）した座標（ｘ2＝ｘ1＋ｗ,ｙ2＝ｙ1＋ｈ）に対応するワイド画面Ｗにおける座標（Ｘ2,Ｙ2）は、前記座標（Ｘ1,Ｙ1）に対するオフセット値（Ｗ,Ｈ）が
Ｗ＝Ａｗ  ,  Ｈ＝Ｃｈ
として示されるので、
Ｘ2＝Ｘ1＋Ａｗ  ,  Ｙ2＝Ｙ1＋Ｃｈ
として決定することができる。
【００５７】
基本的には上述した座標位置関係に基づいて実行されるスクエア画面Ｓからワイド画面Ｗへの画像変換処理において、本発明に係る画像変換装置４０では前述したようにワイド化するアイテム（図形要素）とワイド化しないアイテム（図形要素）とに分類し、例えば図６に示すように座標変換処理を実行する。具体的には描画すべき図形要素がワイド化の対象であるか否か、つまり線分であるか否かを判定し＜ステップＳ１１＞、ワイド化の対象である線分の場合には、当該コマンドに示される線分の前述した始点座標（ｘs,ｙs）と終点座標（ｘe,ｙe）を前記座標位置関係に基づいてそれぞれ座標変換し、ワイド画面Ｗにおける始点座標（Ｘs,Ｙs）と終点座標（Ｘe,Ｙe）とをそれぞれ求める＜ステップＳ１２＞。この結果、上記線分はワイド画面Ｗに応じてワイド化されて描画されることになる。
【００５８】
これに対してワイド化しない図形要素である場合には、その図形要素が他の図形要素と共に１纏まりにグループ化されているか否かを判定する＜ステップＳ１３＞。そしてグループ化されていない独立した図形要素であるならば、当該図形要素のスクエア画面Ｓにおける基準座標（ｘo,ｙo）を求め、その基準座標（ｘo,ｙo）を前記座標位置関係に基づいて座標変換してワイド画面Ｗにおける基準座標（Ｘo,Ｙo）に変換する＜ステップＳ１４＞。
【００５９】
その上で前記スクエア画面Ｓにおける当該図形要素の大きさを決定する前記基準座標（ｘo,ｙo）以外の各座標（ｘn,ｙn）のそれぞれについて、前記基準座標（ｘo,ｙo）からのオフセット値（Δｘ＝ｘn−ｘo,Δｙ＝ｙn−ｙo）をそれぞれ求め、そのオフセット値（Δｘ,Δｙ）を前記ワイド画面Ｗにおける基準座標（Ｘo,Ｙo）にそれぞれ加えることで該ワイド画面Ｗにおける座標（Ｘo＋Δｘ,Ｙo＋Δｙ）を求める＜ステップＳ１５＞。この結果、上記ワイド化しない図形要素は、ワイド画面Ｗにおける描画位置が指定されるだけで、元のスクエア画面Ｓでの図形形状（大きさ）が保たれたまま、つまりワイド化されることなく描画される。
【００６０】
尚、前記ワイド化しない図形要素がグループ化されている場合には、そのグループを代表する図形要素の前記スクエア画面Ｓにおける基準座標（ｘo,ｙo）を求め、その基準座標（ｘo,ｙo）を前記座標位置関係に基づいて座標変換して前記ワイド画面Ｗにおける基準座標（Ｘo,Ｙo）に変換する＜ステップＳ１６＞。そして当該代表図形要素の他の座標（ｘn,ｙn）のそれぞれについて、前記スクエア画面Ｓにおける前記基準座標（ｘo,ｙo）からのオフセット値（Δｘ,Δｙ）をそれぞれ求め、そのオフセット値（Δｘ,Δｙ）を前記ワイド画面Ｗにおける基準座標（Ｘo,Ｙo）にそれぞれ加えることで当該代表図形要素の前記ワイド画面Ｗにおける座標（Ｘo＋Δｘ,Ｙo＋Δｙ）を求める＜ステップＳ１７＞。
【００６１】
また前記グループに含まれる他の図形要素をそれぞれ形成する座標（ｘm,ｙm）のそれぞれについて、同様にして前記代表図形要素の素前記基準座標（ｘo,ｙo）からのオフセット値（Δｘ,Δｙ）をそれぞれ求め、そのオフセット値（Δｘ,Δｙ）を前記ワイド画面Ｗにおける前記代表図形要素の基準座標（Ｘo,Ｙo）にそれぞれ加えることで前記他の図形要素の前記ワイド画面Ｗにおける座標（Ｘo＋Δｘ,Ｙo＋Δｙ）をそれぞれ求める＜ステップＳ１８＞。この結果、ワイド化しない１纏まりのグループを形成する複数の図形要素は、ワイド画面Ｗにおける代表図形要素の表示位置が指定されるだけで、元のスクエア画面Ｓでの複数の図形要素の位置関係とその図形形状が保たれたまま、つまりワイド化されることなく描画されることになる。
【００６２】
従って上述した座標変換処理によれば、プラントの構成設備をそれぞれ模式化した図形要素は、図形形状が変わることなくその視覚的イメージが保たれた状態のまま、描画位置だけが変更されてワイド画面Ｗに表示される。そしてこれらの構成設備を模式的に示す図形間を結ぶ線分だけがワイド化されて前記ワイド画面Ｗに表示される。またプラント監視データを表示する表示領域についても、その表示位置が変更されるだけで元のスクエア画面Ｓでの表示領域の大きさのまま保たれるので、当該表示領域に表示されるプラント監視データがワイド化されて読み難くなる等の不具合を招来することもない。
【００６３】
ところで上述した座標変換処理を、次のようにして実施することも可能である。この座標変換処理は、例えば図７にその概略的な処理手順を示し、また図８(ａ)(ｂ)にその概念を示すように、例えば前記スクエア画面Ｓおよびワイド画面Ｗをそれぞれ横方向にｎ等分して複数の分割領域を定義し、これらの画面Ｓ,Ｗ間の対応する分割領域において図形要素の座標変換を行うようにしたものである。尚、図８(ａ)(ｂ)は、前記スクエア画面Ｓおよびワイド画面Ｗをそれぞれ横方向に４等分に分割した例を示しているが、その分割数は限定されるものではない。また前記スクエア画面Ｓおよびワイド画面Ｗの縦方向にも領域分割するようにして良い。
【００６４】
そしてこの座標変換処理は、概略的には前記各分割領域の、例えば左隅部として定められる基準点をベースとして図形要素の基準座標を変換することにより実行される。尚、図８に示すようにスクエア画面Ｓおよびワイド画面Ｗを４等分した例では、前記スクエア画面Ｓにおける各分割領域の基準点（ｘref,ｙref）は、座標（０,０）,（３２０,０）,（６４０,０）,（９６０,０）の各ドット位置として与えられる。また前記ワイド画面Ｗにおける各分割領域の基準点（Ｘref,Ｙref）は、座標（０,０）,（４８０,０）,（９６０,０）,（１３４０,０）の各ドット位置として与えられる。
【００６５】
そして前記スクエア画面Ｓにおける前記ワイド化しない図形要素および前記プラント監視データの表示位置を特定する基準座標（ｘo,ｙo）を、最寄りの基準点、好ましくは当該図形要素が含まれる分割領域の基準点（ｘref,ｙref）からのオフセット値（Δｘ,Δｙ）として求める。そして前記ワイド画面Ｗの対応する分割領域において、その基準点（Ｘref,Ｙref）からのオフセット値（ΔＸ,ΔＹ）が前記スクエア画面Ｓにおけるオフセット値（Δｘ,Δｙ）と等しくなる位置として前記ワイド画面Ｗにおける基準座標（Ｘo,Ｙo）を決定することで、その座標変換がおこなわれる。
【００６６】
即ち、この座標変換処理は、図７に示すように先ず図形要素がワイド化する線分であるか否かを判定する＜ステップＳ２１＞。そして図形要素が前記線分以外の、プラント構成要素を模式的に示す図形を形成する図形要素、或いはプラント監視データの表示位置を示す座標情報である場合には、前記スクエア画面Ｓにおいて当該図形要素の基準座標（ｘo,ｙo）が含まれる分割領域を判定し＜ステップＳ２２＞、判定された分割領域の基準点（ｘref,ｙref）を決定する＜ステップＳ２３＞。
【００６７】
次いで前記図形要素の形状を特定する複数の座標（ｘk,ｙk）の前記スクエア画面Ｓにおける前記分割領域の基準点（ｘref,ｙref）からのオフセット値（Δｘ＝ｘk−ｘref,Δｙ＝ｙk−ｙref）をそれぞれ算出する＜ステップＳ２４＞。そして算出したオフセット値（Δｘ,Δｙ）を前記ワイド画面Ｗにおける対応する分割領域の基準点（Ｘref,Ｙref）にそれぞれ加算して該ワイド画面Ｗにおける前記図形要素の各座標（Ｘk,Ｙk）を（Ｘref＋Δｘ,Ｙref＋Δｙ）としてそれぞれ決定する＜ステップＳ２５＞。
【００６８】
以上の処理によってワイド化しない図形要素の各座標は、ワイド画面Ｗにおける対応する分割領域の基準点（Ｘref,Ｙref）をベースとし、該基準点（Ｘref,Ｙref）からのオフセット値（Δｘ,Δｙ）がそれぞれ加算された座標として変換される。従って上記図形要素は、前記スクエア画面Ｓに表示された図形形状が保たれた状態で前記ワイド画面Ｗの対応する分割領域に表示される。
【００６９】
一方、図形要素がワイド化する線分である場合には、その始点座標および終点座標をそれぞれ独立に座標変換する。具体的には先ず前記スクエア画面Ｓにおいて前記線分の始点座標（ｘs,ｙs）が含まれる分割領域を判定し＜ステップＳ２６＞、判定された分割領域の基準点（ｘref,ｙref）を決定する＜ステップＳ２７＞。
【００７０】
次いで前記始点座標（ｘs,ｙs）の前記スクエア画面Ｓにおける前記分割領域の基準点（ｘref,ｙref）からのオフセット値（Δｘ＝ｘs−ｘref,Δｙ＝ｙs−ｙref）をそれぞれ算出し＜ステップＳ２８＞、算出したオフセット値（Δｘ,Δｙ）を前記ワイド画面Ｗにおける対応する分割領域の基準点（Ｘref,Ｙref）にそれぞれ加算して該ワイド画面Ｗにおける前記始点座標（Ｘs,Ｙs）を（Ｘref＋Δｘ,Ｙref＋Δｙ）としてそれぞれ決定する＜ステップＳ２９＞。
【００７１】
同様にして前記スクエア画面Ｓにける前記線分の終点座標（ｘe,ｙe）が含まれる分割領域を判定し＜ステップＳ３０＞、判定された分割領域の基準点（ｘref,ｙref）を決定する＜ステップＳ３１＞。そして前記終点座標（ｘe,ｙe）の前記スクエア画面Ｓにおける前記分割領域の基準点（ｘref,ｙref）からのオフセット値（Δｘ＝ｘe−ｘref,Δｙ＝ｙe−ｙref）をそれぞれ算出し＜ステップＳ３２＞、算出したオフセット値（Δｘ,Δｙ）を前記ワイド画面Ｗにおける対応する分割領域の基準点（Ｘref,Ｙref）にそれぞれ加算して該ワイド画面Ｗにおける前記終点座標（Ｘe,Ｙe）を（Ｘref＋Δｘ,Ｙref＋Δｙ）としてそれぞれ決定する＜ステップＳ３３＞。
【００７２】
このような座標変換処理によれば、線分が複数の分割領域に跨る場合、該線分の始点座標（ｘs,ｙs）および終点座標（ｘe,ｙe）が、ワイド画面Ｗの対応する分割領域における始点座標（Ｘs,Ｙs）および終点座標（Ｘe,Ｙe）としてそれぞれ決定されるので、前記複数の分割領域に跨る分だけワイド化されることになる。そして上記線分は、一般的には円や長方形等の図形要素で構成されるプラントの構成要素に連なるものとして定義されるので、上述した如く変換された線分の始点座標（Ｘs,Ｙs）および終点座標（Ｘe,Ｘe）は、前述したステップＳ２１〜Ｓ２５により座標変換された図形要素との絶対位置関係が保たれる。
【００７３】
尚、上記線分の始点座標（ｘs,ｙs）および終点座標（ｘe,ｙe）が同じ分割領域に含まれる場合には、基本的にはそのワイド化は行われない。しかし該線分の中間地点を示す折れ点座標等が他の分割領域に含まれる場合、これらの折れ点座標が前記ワイド画面Ｗのサイズに応じて座標変換される。従って前記線分は、前記折れ点を含めて全体的にはワイド化されることになる。
【００７４】
上記の処理において、基準座標変換手段がステップＳ２６〜Ｓ２９を実行し、パラメータ変換手段がステップＳ３０〜Ｓ３３を実行するように構成することができる。また、ワイド化しない図形要素については、ステップＳ２２〜Ｓ２５の処理に替えて、まず基準座標変換手段がステップＳ２６〜Ｓ２９を実行し、次にパラメータ変換手段がステップＳ２９で算出された始点座標を基準座標として、これにスクエア画面Ｓにおける基準座標からのオフセット値を加算して、ワイド画面Ｗにおける各座標を算出するという処理を実行するようにしても良い。このようにすれば、基準座標変換手段は、ワイド化するか否か（アイテムの種別）に係らず同一の手順で変換処理をすることができる。このとき、パラメータ変換手段は、ワイド化する場合は基準座標変換手段と同様の処理となり、ワイド化しない場合は、図形のサイズや形状を維持するなど異なる処理となる。また、変換前において互いに繋がる図形については、基準座標または終端座標を同じ座標にしておき、基準座標の変換手順を同一にすることにより、変換前後における図形の接続状態を維持しつつ、任意に画面サイズを変換することができる。
【００７５】
以上の処理によって、ワイド画面Ｗには、プラントの構成要素をシンボル化して表わした図形要素が、その表示位置が変更されるだけで元の図形形状を保ったまま表示され、線分だけをワイド化したプラント表示画面が表示されることになる。従って先に説明した座標変換処理を実行した場合と同様に、プラントの構成設備をそれぞれシンボル化した図形要素を、その図形形状を変えることなくワイド画面Ｗに表示することができるので、その視覚的イメージを保つことができる。そして前記図形要素は、ワイド画面Ｗにおいてその表示位置が変更されるだけなので、プラント表示画面としてのイメージを損なうことなくワイド化することができる等の効果が奏せられる。
【００７６】
またこれらのシンボル化した図形要素と同様に、プラント監視データを表示する表示領域についても、スクエア画面Ｓにおける表示画面領域の大きさを保ったままワイド画面Ｗ上に設定される。従ってワイド画面Ｗ上においても前記プラント監視データが見難くなることがなく、プラント監視データを的確にモニタすることが可能となる。故に上述した画像変換処理を実行する本装置によれば、既存のソフトウェア資源（プラント表示画面を構築するコマンド列）を有効に利用しながら、そのプラント表示画面をワイド画面Ｗに効果的に表示することが可能となる。
【００７７】
尚、本発明は上述した実施形態に限定されるものではない。例えば図７に示す座標変換処理を実行した場合、ワイド画面Ｗの縦方向（ｙ方向）に対する図形要素の表示位置は、前記スクエア画面Ｓの表示位置まま保持される。従って、例えば画面の横方向（ｘ方向）に対してだけ前述した分割領域の基準点（ｘref,ｙref）からのオフセット値に基づく処理を施すようにしても良い。この場合、縦方向（ｙ方向）の座標変換については、例えば図形要素の基準座標（ｘo,ｙo）のｙ座標をスクエア画面Ｓとワイド画面Ｗとのドット構成比率に応じて座標変換し、ワイド画面Ｗにおける基準座標（Ｘo,Ｙo）を縦方向にシフトする。そしてこの縦方向にシフトしたワイド画面Ｗにおける基準座標（Ｘo,Ｙo）をベースにして当該図形要素の各座標をそれぞれ決定すれば、縦方向のドット構成数に応じた位置に図形要素を表示することが可能となる。
【００７８】
またスクエア画面Ｓとワイド画面Ｗとの縦方向のドット構成比率に応じて、ワイド画面Ｗにおける図形要素の拡大比率を決定し、この拡大比率の下で各図形要素の表示位置を前記基準座標（ｘo,ｙo）に基づいてそれぞれ決定することも可能である。この場合においても、前述したようにワイド化する図形要素とワイド化しない図形要素とに分類した上で、図６または図７に示した座標変換を施すようにすれば良い。
【００７９】
更にはスクエア画面Ｓおよびワイド画面Ｗを縦横に升目状に等分割し、図形要素がどの領域に含まれるかを判定しながら、図８を参照して説明した分割領域の基準点をベースとするオフセット値に基づく座標変換処理を実行することも可能である。更には前記座標変換装置４０を、プラント監視画面作成装置２０に組み込むことも勿論可能である。その他、本発明はその要旨を逸脱しない範囲で種々変形して実施することができる。
【符号の説明】
【００８０】
２ａ,２ｂ,２ｎ  アイテム（基準座標とパラメータを含む）
３  基準座標変換手段
４  パラメータ変換手段
１０  プラント監視装置
１１  プラント画面ファイル
１２  固定画像描画装置
１３  可変画像描画装置
１４  データ表示装置
２０  プラント監視画面作成装置
２１  座標・図形定義入力装置
２２  画像コマンド変換装置
２３  プラント画面ファイル
３０  表示器
４０  画像変換装置
Ｓ  スクエア画面
Ｗ  ワイド画面
【図１】
2014056157.tif 000003
【図２】
2014056157.tif 000004
【図３】
2014056157.tif 000005
【図４】
2014056157.tif 000006
【図５】
2014056157.tif 000007
【図６】
2014056157.tif 000008
【図７】
2014056157.tif 000009
【図８】
2014056157.tif 000010
【図９】
2014056157.tif 000011
【図１１】
2014056157.tif 000012
【図１０】
2014056157.tif 000013